【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ロングタームエボリューションにおけるライセンス補助アクセス（ＬＡＡ−ＬＴＥ）チャネル上で伝送する方法であって、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を含む、方法。
【請求項２】
前記所定の伝送時間境界は、伝送時間間隔（ＴＴＩ）境界である、請求項１に記載の方法。
【請求項３】
前記ハイブリッドプリアンブルは、前記ＬＴＥ信号の長さを示す無線ローカルエリアネットワーク（ＷＬＡＮ）適合セクション（ＷＣＳ）を備えている、請求項１に記載の方法。
【請求項４】
前記ハイブリッドプリアンブルの長さは、前記無線ローカルエリアネットワーク（ＷＬＡＮ）適合セクション（ＷＣＳ）の持続時間に等しい、請求項３に記載の方法。
【請求項５】
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、請求項１に記載の方法。
【請求項６】
前記ハイブリッドプリアンブルの長さは、前記ＷＣＳの長さより大きい、請求項５に記載の方法。
【請求項７】
前記ハイブリッドプリアンブルは、前記ハイブリッドプリアンブルの長さに基づいて決定される長さを有する可変長セクション（ＶＬＳ）を備えている、請求項１に記載の方法。
【請求項８】
前記ハイブリッドプリアンブルの伝送に先立って、前記ＬＴＥ信号の伝送を許可する伝送許可と前記ハイブリッドプリアンブルの伝送電力レベルを示す指示とを受信することと、
前記伝送許可に応答して、前記指示に従って前記ハイブリッドプリアンブルを伝送することと
をさらに含む、請求項１に記載の方法。
【請求項９】
前記指示は、前記ハイブリッドプリアンブルが通常電力レベルまたは低減電力レベルで伝送されることを示す、請求項８に記載の方法。
【請求項１０】
第２のＬＴＥ信号の伝送を許可する伝送許可を受信することであって、前記伝送許可は、先行するハイブリッドプリアンブルなしに前記第２のＬＴＥ信号を伝送するための指示を含む、ことと、
前記指示に応答して、先行するハイブリッドプリアンブルなしに前記第２のＬＴＥ信号を伝送することと
をさらに含む、請求項１に記載の方法。
【請求項１１】
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、請求項１に記載の方法。
【請求項１２】
前記第１のサブフレームは、前記第１のサブフレーム内の全てより少ないシンボルの一部のみを占有するように適合されたＬＴＥ信号を備え、前記ハイブリッドプリアンブルは、前記一部内にないシンボルに対応する期間中に伝送される、請求項１１に記載の方法。
【請求項１３】
前記ＬＡＡ−ＬＴＥチャネルは、ライセンス補助動作のために構成された非ライセンスキャリアである、請求項１に記載の方法。
【請求項１４】
ユーザ機器（ＵＥ）であって、前記ＵＥは、プロセッサを備え、
前記プロセッサは、請求項１〜１３のいずれかに記載の方法を実行するように構成されている、ＵＥ。
【請求項１５】
基地局であって、前記基地局は、プロセッサを備え、
前記プロセッサは、請求項１〜１３のいずれかに記載の方法を実行するように構成されている、基地局。
【手続補正２】
【補正対象書類名】明細書
【補正対象項目名】０００７
【補正方法】変更
【補正の内容】
【０００７】
いくつかの実装では、ハイブリッドプリアンブルが、ＬＡＡ−ＬＴＥ動作においてチャネルを共有するために使用され得る。ハイブリッドプリアンブルは、ＬＴＥフレーム構造との適合性を維持しながら、非ライセンスキャリア上で伝送されるＬＴＥ信号の長さを示し得る。
本発明は、例えば、以下を提供する。
（項目１）
ロングタームエボリューションにおけるライセンス補助アクセス（ＬＡＡ−ＬＴＥ）チャネル上で伝送する方法であって、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を含む、方法。
（項目２）
前記所定の伝送時間境界は、伝送時間間隔（ＴＴＩ）境界である、項目１に記載の方法。
（項目３）
前記ハイブリッドプリアンブルは、前記ＬＴＥ信号の長さを示す無線ローカルエリアネットワーク（ＷＬＡＮ）適合セクション（ＷＣＳ）を備えている、項目１に記載の方法。
（項目４）
前記ハイブリッドプリアンブルの長さは、前記無線ローカルエリアネットワーク（ＷＬＡＮ）適合セクション（ＷＣＳ）の持続時間に等しい、項目３に記載の方法。
（項目５）
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、項目１に記載の方法。
（項目６）
前記ハイブリッドプリアンブルの長さは、前記ＷＣＳの長さより大きい、項目５に記載の方法。
（項目７）
前記ハイブリッドプリアンブルは、前記ハイブリッドプリアンブルの長さに基づいて決定される長さを有する可変長セクション（ＶＬＳ）を備えている、項目１に記載の方法。
（項目８）
前記ハイブリッドプリアンブルの伝送に先立って、前記ＬＴＥ信号の伝送を許可する伝送許可と前記ハイブリッドプリアンブルの伝送電力レベルを示す指示とを受信することと、
前記伝送許可に応答して、前記指示に従って前記ハイブリッドプリアンブルを伝送することと
をさらに含む、項目１に記載の方法。
（項目９）
前記指示は、前記ハイブリッドプリアンブルが通常電力レベルまたは低減電力レベルで伝送されることを示す、項目８に記載の方法。
（項目１０）
第２のＬＴＥ信号の伝送を許可する伝送許可を受信することであって、前記伝送許可は、先行するハイブリッドプリアンブルなしに前記第２のＬＴＥ信号を伝送するための指示を含む、ことと、
前記指示に応答して、先行するハイブリッドプリアンブルなしに前記第２のＬＴＥ信号を伝送することと
をさらに含む、項目１に記載の方法。
（項目１１）
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、項目１に記載の方法。
（項目１２）
前記第１のサブフレームは、前記第１のサブフレーム内の全てより少ないシンボルの一部のみを占有するように適合されたＬＴＥ信号を備え、前記ハイブリッドプリアンブルは、前記一部内にないシンボルに対応する期間中に伝送される、項目１１に記載の方法。
（項目１３）
前記ＬＡＡ−ＬＴＥチャネルは、ライセンス補助動作のために構成された非ライセンスキャリアである、項目１に記載の方法。
（項目１４）
前記ハイブリッドプリアンブルは、ユーザ機器（ＵＥ）によって伝送される、項目１に記載の方法。
（項目１５）
前記ハイブリッドプリアンブルは、進化型ＮｏｄｅＢ（ｅＮＢ）によって伝送される、項目１に記載の方法。
（項目１６）
ユーザ機器（ＵＥ）であって、前記ＵＥは、プロセッサを備え、
前記プロセッサは、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を行うように構成されている、ＵＥ。
（項目１７）
前記所定の伝送時間境界は、伝送時間間隔（ＴＴＩ）境界である、項目１６に記載のＵＥ。
（項目１８）
前記ハイブリッドプリアンブルは、前記ＬＴＥ信号の長さを示す無線ローカルエリアネットワーク（ＷＬＡＮ）適合セクション（ＷＣＳ）を備えている、項目１６に記載のＵＥ。
（項目１９）
前記ハイブリッドプリアンブルの長さは、前記無線ローカルエリアネットワーク（ＷＬＡＮ）適合セクション（ＷＣＳ）の持続時間に等しい、項目１８に記載のＵＥ。
（項目２０）
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、項目１６に記載のＵＥ。
（項目２１）
前記ハイブリッドプリアンブルの長さは、前記ＷＣＳの長さより大きい、項目２０に記載のＵＥ。
（項目２２）
前記ハイブリッドプリアンブルは、前記ハイブリッドプリアンブルの長さに基づいて決定される長さを有する可変長セクション（ＶＬＳ）を備えている、項目１６に記載のＵＥ。
（項目２３）
前記１つ以上のプロセッサは、
前記ハイブリッドプリアンブルの伝送に先立って、前記ＬＴＥ信号の伝送を許可する伝送許可と前記ハイブリッドプリアンブルの伝送電力レベルを示す指示とを受信することと、
前記伝送許可に応答して、前記指示に従って前記ハイブリッドプリアンブルを伝送することと
を行うようにさらに構成されている、項目１６に記載のＵＥ。
（項目２４）
前記指示は、前記ハイブリッドプリアンブルが通常電力レベルまたは低減電力レベルで伝送されることを示す、項目２３に記載のＵＥ。
（項目２５）
前記１つ以上のプロセッサは、
第２のＬＴＥ信号の伝送を許可する伝送許可を受信することであって、前記伝送許可は、先行するハイブリッドプリアンブルなしに前記第２のＬＴＥ信号を伝送するための指示を含む、ことと、
前記指示に応答して、先行するハイブリッドプリアンブルなしに前記第２のＬＴＥ信号を伝送することと
を行うようにさらに構成されている、項目１６に記載のＵＥ。
（項目２６）
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、項目１６に記載のＵＥ。
（項目２７）
前記第１のサブフレームは、前記第１のサブフレーム内のシンボルの一部のみを占有するように適合されたＬＴＥ信号を備え、前記ハイブリッドプリアンブルは、前記一部内にないシンボルに対応する期間中に伝送される、項目２６に記載のＵＥ。
（項目２８）
前記ＬＡＡ−ＬＴＥチャネルは、ライセンス補助動作のために構成された非ライセンスキャリアである、項目１６に記載のＵＥ。
（項目２９）
基地局であって、前記基地局は、プロセッサを備え、
前記プロセッサは、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を行うように構成されている、基地局。
（項目３０）
前記所定の伝送時間境界は、伝送時間間隔（ＴＴＩ）境界である、項目２９に記載の基地局。
（項目３１）
前記ハイブリッドプリアンブルは、前記ＬＴＥ信号の長さを示す無線ローカルエリアネットワーク（ＷＬＡＮ）適合セクション（ＷＣＳ）を備えている、項目２９に記載の基地局。
（項目３２）
前記ハイブリッドプリアンブルの長さは、前記無線ローカルエリアネットワーク（ＷＬＡＮ）適合セクション（ＷＣＳ）の持続時間に等しい、項目２９に記載の基地局。
（項目３３）
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、項目２９に記載の基地局。
（項目３４）
前記ハイブリッドプリアンブルの長さは、前記ＷＣＳの長さより大きい、項目３３に記載の基地局。
（項目３５）
前記ハイブリッドプリアンブルは、前記ハイブリッドプリアンブルの長さに基づいて決定される長さを有する可変長セクション（ＶＬＳ）を備えている、項目２９に記載の基地局。
（項目３６）
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、項目２９に記載の基地局。
（項目３７）
前記第１のサブフレームは、前記第１のサブフレーム内のシンボルの一部のみを占有するように適合されたＬＴＥ信号を備え、前記ハイブリッドプリアンブルは、前記一部内にないシンボルに対応する期間中に伝送される、項目３６に記載の基地局。
（項目３８）
前記ＬＡＡ−ＬＴＥチャネルは、ライセンス補助動作のために構成された非ライセンスキャリアである、項目２９に記載の基地局。
（項目３９）
命令を含む有形非一過性コンピュータ読み取り可能な媒体であって、前記命令は、実行されると、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を含む動作を実施することをコンピューティングデバイスに行わせる、有形非一過性コンピュータ読み取り可能な媒体。